(57)【要約】【課題】デイジーチェーン接続された表示機器にて映像が表示されないタイミングが生じてしまう確率を低減させる。【解決手段】映像信号の信号源となるソース機器と複数の表示機器とが互いにデイジーチェーン接続されたシステムに用いられる表示機器１００であって、表示機器１００に付与されている拡張表示識別データを記憶させるための記憶部１１０と、表示機器１００の後段の表示機器から拡張表示識別データを受信した場合、受信した拡張表示識別データと記憶部１１０に記憶されている拡張表示識別データとが異なる場合、記憶部１１０に記憶されている拡張表示識別データを受信した拡張表示識別データへ書き換え、受信した拡張表示識別データと記憶部１１０に記憶されている拡張表示識別データとが同じである場合、記憶部１１０に記憶されている拡張表示識別データの書き換えを行わない制御部１２０とを有する。【選択図】図１
2020160227.tif 000002
【特許請求の範囲】
【請求項１】
映像信号の信号源となるソース機器と複数の表示機器とが互いにデイジーチェーン接続されたシステムに用いられる表示機器であって、
当該表示機器に付与されている拡張表示識別データを記憶させるための記憶部と、
前記ソース機器から当該表示機器よりも遠い側に接続された後段の表示機器から拡張表示識別データを受信した場合、該受信した拡張表示識別データと、前記記憶部に記憶されている拡張表示識別データとを比較し、前記受信した拡張表示識別データと前記記憶部に記憶されている拡張表示識別データとが異なる場合、前記記憶部に記憶されている拡張表示識別データを前記受信した拡張表示識別データへ書き換え、前記受信した拡張表示識別データと前記記憶部に記憶されている拡張表示識別データとが同じである場合、前記記憶されている拡張表示識別データの書き換えを行わない制御部とを有する表示機器。
【請求項２】
請求項１に記載の表示機器において、
前記制御部は、前記記憶されている拡張表示識別データの書き換えを行う場合、前記ソース機器から当該表示機器よりも近い側に接続された前段の表示機器または前記ソース機器に対して送信する、前記拡張表示識別データの送信の準備ができている旨を示す準備信号の信号レベルをＬｏｗとし、前記書き換えが完了すると、前記準備信号の信号レベルをＨｉｇｈとする表示機器。
【請求項３】
請求項２に記載の表示機器において、
前記制御部は、前記前段の表示機器または前記ソース機器から前記拡張表示識別データの要求を受けると、前記拡張表示識別データを前記記憶部から読み出し、前記拡張表示識別データの要求をしてきた前記前段の表示機器または前記ソース機器へ送信する表示機器。
【請求項４】
請求項１から３のいずれか１項に記載の表示機器において、
前記拡張表示識別データは、前記表示機器の製造者名と製品コードとを含む表示機器。
【請求項５】
請求項１から４のいずれか１項に記載の表示機器において、
当該表示機器は、プロジェクタである表示機器。
【請求項６】
映像信号の信号源となるソース機器と複数の表示機器とが互いにデイジーチェーン接続されたシステムに用いられる表示機器の接続制御方法であって、
前記ソース機器から当該表示機器よりも遠い側に接続された後段の表示機器から拡張表示識別データを受信した場合、該受信した拡張表示識別データと、当該表示機器に設けられた記憶部に記憶されている拡張表示識別データとを比較する処理と、
前記比較の結果、前記受信した拡張表示識別データと前記記憶部に記憶されている拡張表示識別データとが異なる場合、前記記憶部に記憶されている拡張表示識別データを前記受信した拡張表示識別データへ書き換える処理と、
前記比較の結果、前記受信した拡張表示識別データと前記記憶部に記憶されている拡張表示識別データとが同じである場合、前記記憶部に記憶されている拡張表示識別データを保持する処理とを行う接続制御方法。
【発明の詳細な説明】
【技術分野】
【０００１】
本発明は、表示機器および表示機器の接続制御方法に関する。
【背景技術】
【０００２】
一般的な複数のプロジェクタやディスプレイ装置等の映像表示機器を用いて映像を表示するマルチ表示システムは、１台の映像表示機器を用いて映像を表示するよりも大画面かつ高解像度で映像を表示できる。そのため、このようなマルチ表示システムは、イベント会場やショールーム等で広く利用されている。
【０００３】
図７は、映像表示機器としてプロジェクタを用いた一般的なマルチ表示システムの一例を示す図である。図７に示したマルチ表示システムは、表示機器である複数のプロジェクタ１〜４と、プロジェクタ１〜４へ映像信号を供給するＰＣ（Ｐｅｒｓｏｎａｌ  Ｃｏｍｐｕｔｅｒ）５と、プロジェクタ１〜４から映像が投映されるスクリーン７とを備える。また、ＨＤＭＩ（登録商標）（Ｈｉｇｈ−Ｄｅｆｉｎｉｔｉｏｎ  Ｍｕｌｔｉｍｅｄｉａ  Ｉｎｔｅｒｆａｃｅ）規格に準拠したＨＤＭＩケーブル６を用いて、ＰＣ５とプロジェクタ１〜４とがデイジーチェーン接続されている。ＨＤＭＩでは、映像信号、音声信号および制御信号を含むＨＤＭＩ信号を供給する映像信号源となる機器をソース（Ｓｏｕｒｃｅ）機器と呼び、ＨＤＭＩ信号を受信する機器をシンク（Ｓｉｎｋ）機器と呼び、ＨＤＭＩ信号を中継する機器をリピータ（Ｒｅｐｅａｔｅｒ）機器と呼ぶ。図７に示したマルチ表示システムでは、ＰＣ５がソース機器となり、プロジェクタ１〜４がシンク機器として動作する。また、プロジェクタ１〜３は、シンク機器だけでなく、リピータ機器としても動作する。このような、映像信号源（ソース機器）に対して複数の表示機器がデイジーチェーン接続されたマルチ表示システムは、例えば、特許文献１〜４にも記載されている。
【０００４】
シンク機器は、自身の機器の機種を示す情報（製造者名、型式コード等）および仕様に関する情報（対応可能な信号フォーマットや解像度等）等の自身の機器の情報を含む拡張表示識別データであるＥＤＩＤ（Ｅｘｔｅｎｄｅｄ  Ｄｉｓｐｌａｙ  Ｉｄｅｎｔｉｆｉｃａｔｉｏｎ  Ｄａｔａ）を保有する。シンク機器は、ソース機器と接続されたときに保有しているＥＤＩＤをソース機器へ送信する。ソース機器は、シンク機器から送信されてきたＥＤＩＤに基づいて、そのシンク機器の仕様に対応した映像信号や音声信号を含むＨＤＭＩ信号を出力する。
【０００５】
ソース機器、リピータ機器およびシンク機器は、ＨＤＭＩに対応した処理を実行するインターフェース回路を備え、インターフェース回路にはＨＤＭＩ規格に対応したＨＤＭＩ端子（不図示）が接続されている。
【０００６】
図８は、ソース機器および表示機器が備えるＨＤＭＩに対応した処理を実行するインターフェース回路の一構成例を示すブロック図である。図８に示したインターフェース回路１０は、起動時にＥＤＩＤを使用するために展開するＲＡＭ（Ｒａｎｄｏｍ  Ａｃｃｅｓｓ  Ｍｅｍｏｒｙ）領域部１１と、後述する表示機器の処理手順を実行する制御部１２と、自身の機器のＥＤＩＤを保有するＲＯＭ（Ｒｅａｄ  Ｏｎｌｙ  Ｍｅｍｏｒｙ）領域１３とを有する。図８に示したインターフェース回路１０は、例えば、ＣＰＵ（Ｃｅｎｔｒａｌ  Ｐｒｏｃｅｓｓｉｎｇ  Ｕｎｉｔ）、記憶装置、各種論理回路、ソース機器や他の表示機器と信号や情報を送受信するための通信手段等を備えた情報処理用のＩＣ（Ｉｎｔｅｇｒａｔｅｄ  Ｃｉｒｃｕｉｔ）等を用いて実現される。
【０００７】
リピータ機器は、２つのＨＤＭＩ端子をそれぞれ備える。一方のＨＤＭＩ端子は、ＨＤＭＩケーブル６を介して隣接する一方の機器（リピータ機器、ソース機器またはシンク機器）と接続される。また、他方のＨＤＭＩ端子は、ＨＤＭＩケーブル６を介して隣接する他方の機器と接続される。ここでは、ＨＤＭＩ端子およびＨＤＭＩケーブル６を介して接続されるソース機器またはソース機器に近い表示機器を「前段側機器」と称し、ソース機器から遠い表示機器を「後段側機器」と称する。すなわち、ソース機器またはソース機器から出力された映像信号を自身の機器へ供給する表示機器を前段側機器（前段の表示機器）と称し、自身の機器が中継する映像信号の受信が可能な表示機器を後段側機器（後段の表示機器）と称する。リピータ機器として動作しないシンク機器は、前段側機器用のＨＤＭＩ端子のみ備える構成であっても良い。
【０００８】
図９は、ソース機器とシンク機器との接続時における処理手順の一例を説明するためのシーケンス図である。ここでは、ＨＤＭＩ規格に基づいてソース機器とシンク機器との接続が確立するまでの処理手順について説明する。ソース機器とシンク機器との「接続の確立」とは、ソース機器とシンク機器とがＨＤＭＩケーブル６を用いて接続され、ソース機器およびシンク機器の電源がそれぞれ投入（ＯＮ）されて、ソース機器からシンク機器へＨＤＭＩ信号が出力可能な状態を指す。また、図９を用いて説明する処理は、図８に示したインターフェース回路１０の制御部１２で実行されるものとする。
【０００９】
まず、ソース機器とシンク機器とがＨＤＭＩケーブル６を介して接続されて各々に電源が投入されると（ステップＳ１０１）、ソース機器はシンク機器へ所定の直流電圧（ＤＣ＋５Ｖ）を供給する（ステップＳ１０２）。ソース機器からシンク機器には、ＨＤＭＩケーブル６が備えるＤＣ＋５Ｖ専用のラインを通してＤＣ＋５Ｖが供給される。
【００１０】
シンク機器は、ソース機器から所定の直流電圧（ＤＣ＋５Ｖ）が供給されると、ＨＤＭＩ信号を受信するための準備を開始する。シンク機器は、その準備が完了すると（ステップＳ１０３）、ＨＤＭＩ規格で定義されたＨＰＤ（Ｈｏｔ  Ｐｌｕｇ  Ｄｅｔｅｃｔ）信号の信号レベルをＬｏｗからＨｉｇｈへ切り替えて、信号受信の準備完了をソース機器に通知する（ステップＳ１０４）。シンク機器が実行するＨＤＭＩ信号を受信するための準備には、不揮発性メモリ（例えば、ＲＯＭ）で保有している自身の機器のＥＤＩＤを読み出して、揮発性メモリ（例えば、ＲＡＭ）へ展開する処理がある。なお、シンク機器におけるＨＰＤ信号の信号レベルのＬｏｗからＨｉｇｈへの切り替えには、ソース機器から供給されるＤＣ＋５Ｖが用いられる。
【００１１】
ソース機器は、ＨＰＤ信号のレベルがＬｏｗからＨｉｇｈへ切り替わると、ＨＤＭＩ信号を受信可能な機器（この場合はシンク機器）が接続されたことを認識する。すると、ソース機器は、ＨＤＭＩ規格で定義されたＤＤＣ／ＣＩ（Ｄｉｓｐｌａｙ  Ｄａｔａ  Ｃｈａｎｎｅｌ／Ｃｏｍｍａｎｄ  Ｉｎｔｅｒｆａｃｅ）機能を用いて、シンク機器へＥＤＩＤの送信を要求する（ステップＳ１０５）。シンク機器は、ソース機器からＥＤＩＤの送信が要求されると、要求にしたがって自身の機器のＥＤＩＤをソース機器へ送信する（ステップＳ１０６）。以降、ソース機器は、受信したＥＤＩＤが示す、シンク機器の仕様に対応した映像信号や音声信号を含むＨＤＭＩ信号を出力する（ステップＳ１０７）。シンク機器は、ソース機器から出力されたＨＤＭＩ信号に含まれる映像信号が示す映像を表示し、ＨＤＭＩ信号に含まれる音声信号が示す音声を再生する。
【００１２】
なお、ソース機器は、後段のシンク機器が備えるＲＡＭ領域部へアクセスすることで、ＲＡＭ領域部に記憶されたＥＤＩＤを取得する構成もある。
【００１３】
図１０は、ソース機器、リピータ機器およびシンク機器の接続時における処理手順の一例を説明するためのシーケンス図である。ここでは、ＨＤＭＩ規格に基づいてソース機器、リピータ機器およびシンク機器の接続が確立するまでの処理手順について説明する。但し、ソース機器、リピータ機器およびシンク機器がＨＤＭＩケーブル６を用いて接続された状態において、最初にシンク機器およびリピータ機器の電源を投入してシンク機器とリピータ機器との接続を確立し、続いてソース機器の電源を投入してリピータ機器とソース機器との接続を確立するまでの処理の一例を説明する。また、図１０を用いて説明する処理は、図８に示したインターフェース回路１０の制御部１２で実行されるものとする。
【００１４】
まず、リピータ機器とシンク機器とがＨＤＭＩケーブル６を介して接続されて、リピータ機器およびシンク機器の電源が投入されると（ステップＳ１１１）、リピータ機器は、接続されたシンク機器へ所定の直流電圧（ＤＣ＋５Ｖ）を供給する（ステップＳ１１２）。シンク機器は、リピータ機器から所定の直流電圧（ＤＣ＋５Ｖ）が供給されると、ＨＤＭＩ信号を受信するための準備を開始する。シンク機器は、その準備が完了すると（ステップＳ１１３）、ＨＰＤ信号の信号レベルをＬｏｗからＨｉｇｈへ切り替えて信号受信の準備完了をリピータ機器に通知する（ステップＳ１１４）。
【００１５】
リピータ機器は、後段側機器用のＨＰＤ信号の信号レベルがＬｏｗからＨｉｇｈへ切り替わると、後段側にＨＤＭＩ信号が受信可能な機器（この場合はシンク機器）が接続されたと認識し、ＤＤＣ／ＣＩ機能を用いてシンク機器へＥＤＩＤの送信を要求する（ステップＳ１１５）。シンク機器は、リピータ機器からＥＤＩＤの送信が要求されると、要求にしたがって自身の機器のＥＤＩＤをリピータ機器へ送信する（ステップＳ１１６）。
【００１６】
リピータ機器は、後段側機器であるシンク機器からＥＤＩＤを受信すると、シンク機器に対応する映像信号がソース機器から出力されるように、自身の機器のＲＡＭ領域に記憶されているＥＤＩＤを後段側機器であるシンク機器から送信されてきたＥＤＩＤへ書き換える（ステップＳ１１７）。
【００１７】
続いて、ソース機器とリピータ機器とがＨＤＭＩケーブル６を介して接続されて、ソース機器の電源が投入されると（ステップＳ１１８）、ソース機器は、接続されたリピータ機器へ所定の直流電圧（ＤＣ＋５Ｖ）を供給する（ステップＳ１１９）。リピータ機器は、ソース機器から所定の直流電圧（ＤＣ＋５Ｖ）が供給されると、ＨＤＭＩ信号を受信するための準備を開始する。リピータ機器は、その準備が完了すると（ステップＳ１２０）、前段側機器用のＨＰＤ信号の信号レベルをＬｏｗからＨｉｇｈへ切り替えて信号受信の準備完了をソース機器へ通知する（ステップＳ１２１）。
【００１８】
ソース機器は、ＨＰＤ信号の信号レベルがＬｏｗからＨｉｇｈへ切り替わると、ＨＤＭＩ信号が受信可能な機器（この場合はリピーター機器）が接続されたと認識し、ＤＤＣ／ＣＩ機能を用いて接続された機器へＥＤＩＤの送信を要求する（ステップＳ１２２）。リピータ機器は、ソース機器からＥＤＩＤの送信が要求されると、要求にしたがって、ＲＡＭ領域に記憶しているシンク機器のＥＤＩＤをソース機器へ送信する（ステップＳ１２３）。以降、ソース機器は、受信したＥＤＩＤが示す、シンク機器の仕様に対応した映像信号や音声信号を含むＨＤＭＩ信号をリピータ機器へ出力する（ステップＳ１２４）。リピータ機器およびシンク機器は、ソース機器から出力されたＨＤＭＩ信号に含まれる映像信号が示す映像を表示し、ＨＤＭＩ信号に含まれる音声信号が示す音声を再生する。
【００１９】
ソース機器とシンク機器との間に複数のリピータ機器が接続される場合も、各リピータ機器が、自身の機器のＲＡＭ領域に記憶されているＥＤＩＤを後段側機器のＥＤＩＤへそれぞれ書き換えることで、最後段に位置するシンク機器のＥＤＩＤがソース機器へ通知される。なお、ソース機器、リピータ機器およびシンク機器の接続が確立する順序は、図９を用いて説明した順序に限定されるものではなく、各機器の電源を投入にする順序に応じて変動する。
【００２０】
なお、リピータ機器は、後段のリピータ機器またはシンク機器が備えるＲＡＭ領域部へアクセスすることで、そのＲＡＭ領域部で記憶されたＥＤＩＤを取得する構成もある。
【００２１】
ところで、上述したようなマルチ表示システムにおいて、デイジーチェーン接続された複数の表示機器がリピータ機器となるかシンク機器となるかは、互いの接続関係に依存する。そのため、各表示機器は、自身の機器がリピータ機器であるかシンク機器であるかを、ＨＰＤ信号を用いて判定する。
【００２２】
図１１は、図７に示したプロジェクタ２における処理手順の一例を説明するためのフローチャートである。ここでは、ソース機器に複数の表示機器がデイジーチェーン接続された状態からの処理手順の一例について説明する。この処理は、図８に示したインターフェース回路１０の制御部１２で実行されるものとする。なお、図７に示したプロジェクタ１，３においても同様の処理が行われる。
【００２３】
まず、プロジェクタ２は、電源が投入（ＯＮ）されると、後段側機器であるプロジェクタ３のＨＰＤ信号の信号レベルがＬｏｗであるかＨｉｇｈであるかを判定する（ステップＳ１３１）。ＨＰＤ信号の信号レベルがＬｏｗである場合、プロジェクタ２はシンク機器として動作する（ステップＳ１３２）。一方、ＨＰＤ信号の信号レベルがＨｉｇｈである場合は、プロジェクタ２は、後段側機器であるプロジェクタ３へＥＤＩＤの送信を要求する信号を送信する（ステップＳ１３３）。
【００２４】
続いて、プロジェクタ２は、後段側機器であるプロジェクタ３から送信されたＥＤＩＤの受信が成功したか否かを判定する（ステップＳ１３４）。ＥＤＩＤの受信が成功した場合、前段側機器であるプロジェクタ１へ送信するＨＰＤ信号の信号レベルをＬｏｗに設定し（ステップＳ１３５）、自身の機器のＲＡＭ領域に記憶されているＥＤＩＤを後段側機器であるプロジェクタ３から受信したＥＤＩＤへ書き換える（ステップＳ１３６）。また、プロジェクタ２は、ＥＤＩＤの書き換えが完了して信号受信の準備が完了すると、前段側機器であるプロジェクタ１へ送信するＨＰＤ信号の信号レベルをＨｉｇｈに設定し（ステップＳ１３７）、以降、リピータ機器として動作する（ステップＳ１３８）。
【００２５】
ステップＳ１３４にて、後段側機器であるプロジェクタ３からのＥＤＩＤの受信に失敗した場合、プロジェクタ２は、後段側機器であるプロジェクタ３に対するＥＤＩＤの送信要求の回数が所定の回数（例えば、３回）に到達したか否かを判定する（ステップＳ１３９）。ＥＤＩＤの送信要求の回数が所定の回数に到達していない場合、プロジェクタ２は、ステップＳ１３３の処理を行う。一方、ＥＤＩＤの送信要求の回数が所定の回数に到達している場合、プロジェクタ２はシンク機器として動作する（ステップＳ１４０）。
【００２６】
このように複数の表示機器がデイジーチェーン接続されたマルチ表示システムでは、ソース機器から最も後段に接続されるシンク機器のＥＤＩＤが複数のリピータ機器を通してソース機器に通知される。ここで、図１０を用いて説明した処理手順において、表示機器が自身の機器のＲＡＭ領域のＥＤＩＤを後段側機器から受信したＥＤＩＤへ書き換えている間は、自身の機器のＥＤＩＤが一時的に不定となる。したがって、表示機器は、信号受信の準備未完了を前段側機器へ通知するため、ＥＤＩＤを書き換える前に前段側機器へ送信するＨＰＤ信号の信号レベルをＬｏｗに設定する。
【００２７】
上述したような、複数の表示機器がデイジーチェーン接続されたマルチ表示システムにおいては、いずれかの表示機器がＥＤＩＤを書き換えている間は、ＨＤＭＩ信号を送受信することができない。したがって、ソース機器と接続された表示機器の台数が多くなると、各リピータ機器におけるＥＤＩＤの書き換えに要する時間が長くなる。そのため、マルチ表示システムを構築して運用を開始しても、各表示機器から映像が表示されるまでに時間を要してしまうおそれがある。
【００２８】
また、近年では、ＨＤＭＩの機能を含む様々な通信形式をサポートするＨＤＢａｓｅＴ規格に準拠したインターフェースが策定され、ＨＤＢａｓｅＴを用いて複数の表示機器がデイジーチェーン接続されたマルチ表示システムも増えてきている。ＨＤＢａｓｅＴ（登録商標）を用いて接続された表示機器は、接続確立後に一定時間以上、映像信号を受信できない場合、ＨＤＢａｓｅＴインターフェース回路から前段側機器に対して映像信号の送信を要求する。その際、その表示機器は、前段側機器へ送信するＨＰＤ信号の信号レベルを、一旦Ｌｏｗに設定し、その後Ｈｉｇｈに設定する。そのため、前段側機器は、後段側に表示機器が新たに接続されたものと判断してしまう。その場合、前段側機器は、後段側の表示機器に対してＤＣ＋５Ｖを供給する処理から始まるＥＤＩＤの送信要求を再度実行し、自身の機器のＲＡＭ領域に記憶されているＥＤＩＤを後段側の表示機器から受信したＥＤＩＤへ再度書き換える。上述したように、表示機器が自身の機器のＲＡＭ領域に記憶されているＥＤＩＤを書き換えている間は、映像信号を送受信できないため、上述したように不要なＥＤＩＤの書き換え処理が映像信号の送受信開始をさらに遅らせる要因となってしまう。したがって、不要なＥＤＩＤの書き換え処理が各表示機器で繰り返し実行されることで、マルチ表示システムを構築して運用を開始しても、各表示機器で映像が全く表示されないおそれがある。
【００２９】
そこで、同一の表示機器が複数デイジーチェーン接続されたマルチ表示システムでは、後段側機器のＥＤＩＤの書き換え処理を行わず、ＲＡＭ領域に展開した自身の機器のＥＤＩＤをそのまま使用する技術が考えられている（例えば、特許文献５参照。）。特許文献５に記載された技術においては、ＥＤＩＤの書き換え処理を起因とする映像信号の送受信開始の遅れや、ＥＤＩＤの書き換え処理が繰り返し実行されることにより映像が表示されないおそれに対して効果がある。
【先行技術文献】
【特許文献】
【００３０】
【特許文献１】特開２００３−３４５３２７号公報
【特許文献２】特開２００４−１０２０２７号公報
【特許文献３】国際公開第２００６／０５７３２４号
【特許文献４】特開２０１６−００１８４５号公報
【特許文献５】国際公開第２０１８／１１６３９９号
【発明の概要】
【発明が解決しようとする課題】
【００３１】
しかしながら、デイジーチェーン接続された表示機器が異なるＥＤＩＤを有する場合は、特許文献５に記載された技術を適用することはできない。したがって、互いに異なるＥＤＩＤを有する表示機器がデイジーチェーン接続されたシステムにおいては、ソース機器が接続されるたびに最後段からのＥＤＩＤの書き換え処理が行われる。そのため、ＥＤＩＤの書き換え処理を起因とした映像信号の送受信開始の遅れや、ＥＤＩＤの書き換え処理が繰り返し実行されることを起因として映像が表示されないおそれがある。
【００３２】
本発明の目的は、上述した課題を解決する表示機器および表示機器の接続制御方法を提供することである。
【課題を解決するための手段】
【００３３】
本発明の表示機器は、
映像信号の信号源となるソース機器と複数の表示機器とが互いにデイジーチェーン接続されたシステムに用いられる表示機器であって、
当該表示機器に付与されている拡張表示識別データを記憶させるための記憶部と、
前記ソース機器から当該表示機器よりも遠い側に接続された後段の表示機器から拡張表示識別データを受信した場合、該受信した拡張表示識別データと、前記記憶部に記憶されている拡張表示識別データとを比較し、前記受信した拡張表示識別データと前記記憶部に記憶されている拡張表示識別データとが異なる場合、前記記憶部に記憶されている拡張表示識別データを前記受信した拡張表示識別データへ書き換え、前記受信した拡張表示識別データと前記記憶部に記憶されている拡張表示識別データとが同じである場合、前記記憶されている拡張表示識別データの書き換えを行わない制御部とを有する。
【００３４】
また、本発明の接続制御方法は、
映像信号の信号源となるソース機器と複数の表示機器とが互いにデイジーチェーン接続されたシステムに用いられる表示機器の接続制御方法であって、
前記ソース機器から当該表示機器よりも遠い側に接続された後段の表示機器から拡張表示識別データを受信した場合、該受信した拡張表示識別データと、当該表示機器に設けられた記憶部に記憶されている拡張表示識別データとを比較する処理と、
前記比較の結果、前記受信した拡張表示識別データと前記記憶部に記憶されている拡張表示識別データとが異なる場合、前記記憶部に記憶されている拡張表示識別データを前記受信した拡張表示識別データへ書き換える処理と、
前記比較の結果、前記受信した拡張表示識別データと前記記憶部に記憶されている拡張表示識別データとが同じである場合、前記記憶部に記憶されている拡張表示識別データを保持する処理とを行う。
【発明の効果】
【００３５】
以上説明したように、本発明においては、デイジーチェーン接続された表示機器にて映像が表示されないタイミングが生じてしまう確率を低減させることができる。
【図面の簡単な説明】
【００３６】
【図１】本発明の表示機器の第１の実施の形態を示す図である。
【図２】図１に示した表示機器の接続制御方法の一例を説明するためのフローチャートである。
【図３】本発明の表示機器が適用されたマルチ表示システムの一例を示す図である。
【図４】図３に示したプロジェクタの内部構成の一例を示す図である。
【図５】図３に示したプロジェクタにおける処理の一例を説明するためのフローチャートである。
【図６】図３に示したプロジェクタにおける処理の他の例を説明するためのフローチャートである。
【図７】映像表示機器としてプロジェクタを用いた一般的なマルチ表示システムの一例を示す図である。
【図８】ソース機器および表示機器が備えるＨＤＭＩに対応した処理を実行するインターフェース回路の一構成例を示すブロック図である。
【図９】ソース機器とシンク機器との接続時における処理手順の一例を説明するためのシーケンス図である。
【図１０】ソース機器、リピータ機器およびシンク機器の接続時における処理手順の一例を説明するためのシーケンス図である。
【図１１】図７に示したプロジェクタにおける処理手順の一例を説明するためのフローチャートである。
【発明を実施するための形態】
【００３７】
マルチ表示システムは、各表示機器が同じ解像度や明るさで表示することが好ましいため、多くの場合、複数の表示機器に同一機種の表示機器が用いられる。しかしながら、スクリーンに投映する表示機器の他に、映像をモニタリングするための別の表示機器が接続されることがあり、その場合、図１１を用いて説明した処理手順に従って各表示機器が自身の機器がリピータ機器であるかシンク機器であるかを判定し、リピータ機器である場合は自身の機器のＲＡＭ領域のＥＤＩＤを後段側機器のＥＤＩＤへ書き換える。この処理は、マルチ表示システムを構築した後の初回運用時は必要な処理だが、そのシステムを変更しない限りは、２回目以降の運用時には不要な処理である。しかしながら、上述した背景技術のマルチ表示システムでは、自身の機器がリピータ機器である場合、後段側機器から受信したＥＤＩＤと自身の機器のＲＡＭ領域のＥＤＩＤとが同一であるか否かに関わらず、起動するたびに自身の機器のＲＡＭ領域のＥＤＩＤを後段側機器から受信したＥＤＩＤへ書き換える。
【００３８】
以下に、本発明の実施の形態について図面を参照して説明する。
（第１の実施の形態）
【００３９】
図１は、本発明の表示機器の第１の実施の形態を示す図である。本形態における表示機器１００は図１に示すように、記憶部１１０と、制御部１２０とを有する。なお、図１には、表示機器１００が具備する構成要素のうち、本形態に関わる主要な構成要素のみを示した。
【００４０】
記憶部１１０は、映像信号の信号源となるソース機器と複数の表示機器とが互いにデイジーチェーン接続されたシステムにおいて、表示機器１００に付与されている拡張表示識別データを記憶させるためのメモリである。ここで、デイジーチェーン接続とは、複数の機器を数珠繋ぎに接続することを示し、縦続接続とも呼ばれる。
制御部１２０は、ソース機器から表示機器１００よりも遠い側に接続された後段の表示機器から拡張表示識別データを受信した場合、受信した拡張表示識別データと、記憶部１１０に記憶されている拡張表示識別データとを比較する。制御部１２０は、比較の結果、受信した拡張表示識別データと記憶部１１０に記憶されている拡張表示識別データとが異なる場合、記憶部１１０に記憶されている拡張表示識別データを受信した拡張表示識別データへ書き換える。制御部１２０は、比較の結果、受信した拡張表示識別データと記憶部１１０に記憶されている拡張表示識別データとが同じである場合、記憶部１１０に記憶されている拡張表示識別データの書き換えを行わない。
【００４１】
以下に、図１に示した表示機器１００の接続制御方法について説明する。図２は、図１に示した表示機器１００の接続制御方法の一例を説明するためのフローチャートである。
まず、制御部１２０が、表示機器１００の後段に接続されている表示機器から拡張表示識別データを受信すると（ステップＳ１）、制御部１２０は、記憶部１１０から拡張表示識別データを読み出す（ステップＳ２）。続いて、制御部１２０は、受信した拡張表示識別データと、記憶部１１０から読み出した拡張表示識別データとを比較する（ステップＳ３）。受信した拡張表示識別データと、記憶部１１０から読み出した拡張表示識別データとが互いに異なる場合、制御部１２０は、記憶部１１０に記憶されている拡張表示識別データを受信した拡張表示識別データへ書き換える（ステップＳ４）。一方、受信した拡張表示識別データと、記憶部１１０から読み出した拡張表示識別データとが互いに同一である場合は、制御部１２０は、記憶部１１０に記憶されている拡張表示識別データの書き換えは行わない。
【００４２】
このように、本形態においては、後段に接続された表示機器から受信した拡張表示識別データと、記憶部１１０に記憶されている拡張表示識別データとが異なる場合、記憶部１１０に記憶されている拡張表示識別データを受信した拡張表示識別データへ書き換え、それらが同一である場合は、記憶部１１０に記憶されている拡張表示識別データの書き換えは行わない。そのため、拡張表示識別データの不要な書き換え処理が無くなり、デイジーチェーン接続された表示機器にて映像が表示されないタイミングが生じてしまう確率を低減させることができる。
（第２の実施の形態）
【００４３】
図３は、本発明の表示機器が適用されたマルチ表示システムの一例を示す図である。本形態におけるマルチ表示システムは図３に示すように、ＰＣ２０１と、複数のプロジェクタ１０１−１〜１０１−４とが、ケーブル３０１−１〜３０１−４を介して互いにデイジーチェーン接続されている。
ＰＣ２０１は、プロジェクタ１０１−１〜１０１−４へ映像信号を出力する信号源となるソース機器である。ＰＣ２０１は、Ｐｅｒｓｏｎａｌ  Ｃｏｍｐｕｔｅｒに限定されるものではなく、ビデオレコーダー、ＤＶＤ（Ｄｉｇｉｔａｌ  Ｖｅｒｓａｔｉｌｅ  Ｄｉｓｃ）プレーヤー、ブルーレイディスクプレーヤー、ゲーム機器、タブレット端末、スマートフォン等、プロジェクタ１０１−１〜１０１−４へ映像信号や音声信号を供給できる機器であれば、どのような機器であっても良い。
プロジェクタ１０１−１〜１０１−４は、互いにデイジーチェーン接続された表示機器であって、ＰＣ２０１から送信されてきた映像信号に基づいた映像をスクリーン４０１へ投映する表示機器である。また、プロジェクタ１０１−１〜１０１−４それぞれは、スクリーン４０１にあらかじめ決められた位置に決められた映像を投映する。なお、図３には、プロジェクタが４台である例を挙げて示しているが、その数はこれに限らない。また、プロジェクタ１０１−１〜１０１−４は、プロジェクタである必要はなく、ディスプレイなどであっても良い。
ケーブル３０１−１〜３０１−４は、それぞれＰＣ２０１およびプロジェクタ１０１−１〜１０１−４を互いにデイジーチェーン接続するためのケーブルである。ケーブル３０１−１〜３０１−４は、ＨＤＭＩ、ＤＶＩ（Ｄｉｇｉｔａｌ  Ｖｉｓｕａｌ  Ｉｎｔｅｒｆａｃｅ）、ＤＰ（ＤｉｓｐｌａｙＰｏｒｔ）、ＨＤＢａｓｅＴのうち、いずれかのインターフェースを持つ通信ケーブルである。
【００４４】
図４は、図３に示したプロジェクタ１０１−２の内部構成の一例を示す図である。図３に示したプロジェクタ１０１−２は図４に示すように、記憶部１１１と、制御部１２１とを有する。また、記憶部１１１は、ＲＡＭ領域１１２と、ＲＯＭ領域１１３とを有する。なお、図４には、図３に示したプロジェクタ１０１−２が具備する構成要素のうち、本形態に関わる主要な構成要素のみを示した。また、図３に示したプロジェクタ１０１−１，１０１−３，１０１−４の内部構成についても、図４に示したものと同じである。
【００４５】
ＲＯＭ領域１１３は、記憶部１１１のうち、あらかじめ書き込まれた情報を読み出し可能なメモリ領域である。ＲＯＭ領域１１３には、プロジェクタ１０１−２がデイジーチェーン接続された際に用いる、プロジェクタ１０１−２自身に付与された拡張表示識別データであるＥＤＩＤが記憶される。
ＲＡＭ領域１１２は、記憶部１１１のうち、情報の書き込みおよび書き込まれた情報の読み出しが可能なメモリ領域である。
【００４６】
制御部１２１は、ＰＣ２０１からプロジェクタ１０１−２よりも遠い側に接続された後段のプロジェクタ１０１−３から送信されたＥＤＩＤを受信した場合、受信したＥＤＩＤと、ＲＯＭ領域１１３に記憶されているＥＤＩＤとを比較する。このとき、制御部１２１は、自身のＥＤＩＤをＲＯＭ領域１１３から読み出してＲＡＭ領域１１２へ展開して比較を行う。比較の結果、受信したＥＤＩＤとＲＯＭ領域１１３からＲＡＭ領域１１２へ展開したＥＤＩＤとが異なる場合、制御部１２１は、ＲＡＭ領域１１２へ展開したＥＤＩＤを受信したＥＤＩＤへ書き換える。また、受信したＥＤＩＤとＲＯＭ領域１１３からＲＡＭ領域１１２へ展開したＥＤＩＤとが同じである場合、制御部１２１は、ＲＡＭ領域１１２に展開したＥＤＩＤの書き換えを行わない。また、制御部１２１は、ＰＣ２０１からプロジェクタ１０１−２よりも近い側に接続された前段のプロジェクタ１０１−１からＥＤＩＤの要求を受けると、ＥＤＩＤをＲＡＭ領域１１２から読み出し、プロジェクタ１０１−１へ送信する。ここで、プロジェクタ１０１−１の制御部１２１の場合は、ＰＣ２０１からプロジェクタ１０１−１よりも近い側に接続されたＰＣ２０１からＥＤＩＤの要求を受けると、ＥＤＩＤをＲＯＭ領域１１３から読み出し、ＲＡＭ領域１１２へ展開し、ＲＡＭ領域１１２に展開したＥＤＩＤをＰＣ２０１へ送信する。また、制御部１２１は、ＲＡＭ領域１１２に展開されているＥＤＩＤの書き換えを行う場合、前段のプロジェクタ１０１−１に対して送信する、ＥＤＩＤの送信の準備ができている旨を示す準備信号として用いられるＨＰＤ信号の信号レベルをＬｏｗとし、書き換えが完了すると、ＨＰＤ信号の信号レベルをＨｉｇｈとする。ここで、プロジェクタ１０１−１の制御部１２１の場合は、ＰＣ２０１に対して送信するＨＰＤ信号の信号レベルをＬｏｗとし、書き換えが完了すると、ＨＰＤ信号の信号レベルをＨｉｇｈとする。なお、ＥＤＩＤは、プロジェクタ１０１−２の製造者名と製品コードとが含まれる。
【００４７】
以下に、図３に示したマルチ表示システムにおける表示機器の接続制御方法について説明する。ここでは、図３に示したプロジェクタ１０１−２における処理について説明する。図５は、図３に示したプロジェクタ１０１−２における処理の一例を説明するためのフローチャートである。
【００４８】
まず、プロジェクタ１０１−１とプロジェクタ１０１−２とがケーブル３０１−２を用いて接続され、プロジェクタ１０１−２とプロジェクタ１０１−３とがケーブル３０１−３を用いて接続され、プロジェクタ１０１−２に電源が投入（ＯＮ）されると、制御部１２１は後段側機器であるプロジェクタ１０１−３から送信されたＨＰＤ信号の信号レベルがＨｉｇｈであるかＬｏｗであるかを判定する（ステップＳ１１）。ＨＰＤ信号の信号レベルがＬｏｗである場合、プロジェクタ１０１−２はシンク機器として動作する（ステップＳ１２）。一方、ＨＰＤ信号の信号レベルがＨｉｇｈである場合は、プロジェクタ１０１−２は、後段側機器であるプロジェクタ１０１−３へＥＤＩＤの送信を要求する信号を送信する（ステップＳ１３）。
【００４９】
続いて、制御部１２１は、プロジェクタ１０１−３から送信されたＥＤＩＤの受信が成功したか否かを判定する（ステップＳ１４）。ＥＤＩＤの受信が成功した場合、制御部１２１は、受信したＥＤＩＤに含まれるプロジェクタ１０１−３の製造者名および製品コードを確認する（ステップＳ１５）。制御部１２１は、受信したＥＤＩＤと、ＲＯＭ領域１１３からＲＡＭ領域１１２へ展開したプロジェクタ１０１−２のＥＤＩＤとが同一かどうか比較して判定する（ステップＳ１６）。受信したＥＤＩＤと、ＲＯＭ領域１１３からＲＡＭ領域１１２へ展開したプロジェクタ１０１−２のＥＤＩＤとが同一ではない場合、制御部１２１は、前段側機器であるプロジェクタ１０１−１へ送信するＨＰＤ信号の信号レベルをＬｏｗにし（ステップＳ１７）、ＲＡＭ領域１１２に展開されたＥＤＩＤを後段側機器であるプロジェクタ１０１−３から受信したＥＤＩＤへ書き換える（ステップＳ１８）。制御部１２１は、ＥＤＩＤの書き換えが完了して信号受信の準備が完了すると、前段側機器であるプロジェクタ１０１−１へ送信するＨＰＤ信号の信号レベルをＨｉｇｈにし（ステップＳ１９）、以降、リピータ機器として動作する（ステップＳ２０）。すなわち、プロジェクタ１０１−２は、ＲＡＭ領域１１２上でＥＤＩＤの書き換え処理を行うとき、そのＥＤＩＤの書き換えの期間、前段側機器へ送信するＨＰＤ信号の信号レベルをＬｏｗにし、前段側機器へ信号受信の準備未完了を通知し、書き換えが完了するとＨＰＤ信号の信号レベルをＨｉｇｈにして、前段側機器へ信号受信の準備完了を通知する。
【００５０】
一方、ステップＳ１６にて、プロジェクタ１０１−３から受信したＥＤＩＤと、ＲＯＭ領域１１３からＲＡＭ領域１１２へ展開したプロジェクタ１０１−２のＥＤＩＤとが同一である場合は、制御部１２１は、プロジェクタ１０１−１へ送信するＨＰＤ信号の信号レベルをＨｉｇｈのままとし、プロジェクタ１０１−３から受信したＥＤＩＤをコピーせず（ＥＤＩＤの書き換えを行わず）、ＲＡＭ領域１１２に展開された自身のＥＤＩＤをそのまま保持し（ステップＳ２１）、リピータ機器として動作する。
【００５１】
ステップＳ１４にて、プロジェクタ１０１−３から送信されたＥＤＩＤの受信に失敗した場合、制御部１２１は、プロジェクタ１０１−３に対するＥＤＩＤの送信要求の回数が所定の回数（例えば、３回）に到達したか否かを判定する（ステップＳ２２）。ＥＤＩＤの送信要求の回数が所定の回数に到達していない場合、制御部１２１は、ステップＳ１３の処理を行う。一方、ＥＤＩＤの送信要求の回数が所定の回数に到達している場合、制御部１２１は、プロジェクタ１０１−１へ送信するＨＰＤ信号の信号レベルをＨｉｇｈとしてシンク機器として動作する（ステップＳ２３）。
【００５２】
このように、リピータ機器が後段側機器から送信されたＥＤＩＤを受信すると、受信したＥＤＩＤに含まれる後段側機器の製造者および製品コードを確認し、後段側機器の製造者および製品コードそれぞれが自身の機器のＲＡＭ領域に展開されたＥＤＩＤに含まれる製造者および製品コードぞれぞれと同一であると判定した場合は、ＲＡＭ領域１１２に展開されたＥＤＩＤを書き換えることなく、そのまま使用する。後段側機器から受信したＥＤＩＤがＲＡＭ領域１１２に展開された自身の機器のＥＤＩＤと同一である場合に、各リピータ機器が自身の機器のＥＤＩＤをそのまま使用することで、マルチ表示システムにおける各リピータ機器のＥＤＩＤの書き換え処理を低減することができる。また、リピータ機器におけるＥＤＩＤの書き換え処理が低減することで、ＥＤＩＤの書き換え前に前段側機器へ送信するＨＰＤ信号の信号レベルをＬｏｗに設定し、信号受信の準備未完了を前段側機器へ通知する処理についても低減される。特に、マルチ表示システムが、前回の運用時の構成と同一の構成で使用される場合、リピータ機器におけるＥＤＩＤの書き換え処理が不要となり、信号受信の準備未完了を前段側機器へ通知する処理も不要となる。そのため、マルチ表示システムの同一構成における２回目以降の運用開始時における、映像表示までに要する時間の短縮が期待できる。
【００５３】
図６は、図３に示したプロジェクタ１０１−２における処理の他の例を説明するためのフローチャートである。
【００５４】
プロジェクタ１０１−２がシンク機器として動作しているとき、プロジェクタ１０１−２は所定のタイミング（例えば、定期的）に、後段側機器であるプロジェクタ１０１−３から出力されたＨＰＤ信号を検出するようにしている。以下の説明においては、プロジェクタ１０１−２がシンク機器として動作している状態で、プロジェクタ１０１−３から出力されたＨＰＤ信号の信号レベルがＬｏｗからＨｉｇｈになったことを検出したとき、検出した信号レベルに基づいて、プロジェクタ１０１−２がリピータ機器であるかシンク機器であるかを判定するまでの処理について説明する。
【００５５】
プロジェクタ１０１−２がシンク機器として動作している状態で、制御部１２１は後段側機器であるプロジェクタ１０１−３のＨＰＤ信号から送信された信号レベルがＨｉｇｈであるかＬｏｗであるかを判定する（ステップＳ３１）。ＨＰＤ信号の信号レベルがＬｏｗである場合、プロジェクタ１０１−２はシンク機器として動作する（ステップＳ３２）。一方、ＨＰＤ信号の信号レベルがＨｉｇｈである場合は、プロジェクタ１０１−２は、後段側機器であるプロジェクタ１０１−３へＥＤＩＤの送信を要求する信号を送信する（ステップＳ３３）。
【００５６】
続いて、制御部１２１は、プロジェクタ１０１−３から送信されたＥＤＩＤの受信が成功したか否かを判定する（ステップＳ３４）。ＥＤＩＤの受信が成功した場合、制御部１２１は、受信したＥＤＩＤに含まれるプロジェクタ１０１−３の製造者名および製品コードを確認する（ステップＳ３５）。制御部１２１は、受信したＥＤＩＤと、ＲＯＭ領域１１３からＲＡＭ領域１１２へ展開したプロジェクタ１０１−２のＥＤＩＤとが同一かどうか比較して判定する（ステップＳ３６）。受信したＥＤＩＤと、ＲＯＭ領域１１３からＲＡＭ領域１１２へ展開したプロジェクタ１０１−２のＥＤＩＤとが同一ではない場合、制御部１２１は、前段側機器であるプロジェクタ１０１−１へ送信するＨＰＤ信号の信号レベルをＬｏｗにし（ステップＳ３７）、ＲＡＭ領域１１２に展開されたＥＤＩＤを後段側機器であるプロジェクタ１０１−３から受信したＥＤＩＤへ書き換える（ステップＳ３８）。制御部１２１は、ＥＤＩＤの書き換えが完了して信号受信の準備が完了すると、前段側機器であるプロジェクタ１０１−１へ送信するＨＰＤ信号の信号レベルをＨｉｇｈにし（ステップＳ３９）、以降、リピータ機器として動作する（ステップＳ４０）。すなわち、プロジェクタ１０１−２は、ＲＡＭ領域１１２上でＥＤＩＤの書き換え処理を行うとき、そのＥＤＩＤの書き換えの期間、前段側機器へ送信するＨＰＤ信号の信号レベルをＬｏｗにし、書き換えが完了するとＨＰＤ信号の信号レベルをＨｉｇｈにして、前段側機器へ信号受信の準備未完了を通知する。
【００５７】
一方、ステップＳ３６にて、プロジェクタ１０１−３から受信したＥＤＩＤと、ＲＯＭ領域１１３からＲＡＭ領域１１２へ展開したプロジェクタ１０１−２のＥＤＩＤとが同一である場合は、制御部１２１は、プロジェクタ１０１−１へ送信するＨＰＤ信号の信号レベルをＨｉｇｈのままとし、プロジェクタ１０１−３から受信したＥＤＩＤをコピーせず（ＥＤＩＤの書き換えを行わず）、ＲＡＭ領域１１２に展開された自身のＥＤＩＤをそのまま保持し（ステップＳ４１）、リピータ機器として動作する。
【００５８】
ステップＳ３４にて、プロジェクタ１０１−３から送信されたＥＤＩＤの受信に失敗した場合、制御部１２１は、プロジェクタ１０１−３に対するＥＤＩＤの送信要求の回数が所定の回数（例えば、３回）に到達したか否かを判定する（ステップＳ４２）。ＥＤＩＤの送信要求の回数が所定の回数に到達していない場合、制御部１２１は、ステップＳ３３の処理を行う。一方、ＥＤＩＤの送信要求の回数が所定の回数に到達している場合、制御部１２１は、プロジェクタ１０１−１へ送信するＨＰＤ信号の信号レベルをＨｉｇｈとしてシンク機器として動作する（ステップＳ４３）。
【００５９】
このように、ＨＰＤ信号に基づいて自機器がリピータ機器であるかシンク機器であるかを判定することで、プロジェクタがシンク機器として動作していた場合であっても、プロジェクタがリピータ機器またはシンク機器に再設定される。
【００６０】
本発明によれば、ソース機器と複数の表示機器とがデイジーチェーン接続される構成において、任意のリピータ機器から前段側機器に対して映像信号の送信が要求された場合であっても、それらの機器が前回運用時と同一の構成であれば、前段側機器にてＥＤＩＤの書き換え処理が実行されることはない。したがって、不要なＥＤＩＤの書き換え処理が各表示機器で繰り返し実行されることで発生する、マルチ表示システムの運用開始時における、映像信号の送受信開始の遅れや映像が表示されない不具合も低減される。
【００６１】
以上、実施形態を参照して本願発明を説明したが、本願発明は上記実施形態に限定されものではない。本願発明の構成や詳細は本願発明のスコープ内で当業者が理解し得る様々な変更が可能である。また、各構成要素に各機能（処理）それぞれを分担させて説明したが、この割り当ては上述したものに限定しない。また、各実施の形態を組み合わせたものであっても良い。
【符号の説明】
【００６２】
１００    表示機器
１０１−１〜１０１−４    プロジェクタ
１１０，１１１    記憶部
１１２    ＲＡＭ領域
１１３    ＲＯＭ領域
１２０，１２１    制御部
２０１    ＰＣ
３０１−１〜３０１−４    ケーブル
４０１    スクリーン
【図１】
2020160227.tif 000003
【図２】
2020160227.tif 000004
【図３】
2020160227.tif 000005
【図４】
2020160227.tif 000006
【図５】
2020160227.tif 000007
【図６】
2020160227.tif 000008
【図７】
2020160227.tif 000009
【図８】
2020160227.tif 000010
【図９】
2020160227.tif 000011
【図１０】
2020160227.tif 000012
【図１１】
2020160227.tif 000013